(57)【特許請求の範囲】
【請求項１】
ベース部（１５）、およびそれに接続している本体部（２０）を備えるスタンド（１０）であって、
ベース部（１５）はシャフトを備え、当該シャフトのそれぞれの端部は、長方形の枠の半分の形状となる脚部（３０、３０”）の形を定めるように、当該シャフトからみて前記本体部（２０）とは反対側であって、前記本体部（２０）の長さ方向と平行な方向に同軸から曲げられており、本体部（２０）は、ベース部（１５）の中心から、二つの脚部のうちの一方側にずれた位置において、ベース部（１５）と垂直に接続しており、
本体部（２０）は、伸縮自在に内側本体（４５）を入れる外側本体（４０）を備える中空の円柱であり、内側本体（４５）は、外側本体（４０）よりも長く、かつ、外側本体（４０）よりも直径が小さく、長さ方向に沿って設けられた二つの相隔たるストッパー穴である第一のストッパー穴（５０）および第二のストッパー穴（５５）を備え、内側本体（４５）の末端は、ベース部（１５）に接続しており、
相隔たる第一のストッパー穴（５０）および第二のストッパー穴（５５）は、距離をもって配置されており、当該距離はスタンド（１０）の収縮および伸長の性能の範囲を決定し、第一のストッパー穴（５０）および第二のストッパー穴（５５）は、内側本体（４５）の外周に設けられており、かつ、９０度離れており、
内側本体（４５）は、外側本体（４０）に沿って滑って出たり入ったりすることが可能であり、
外側本体（４０）は、相隔たるブラケット（７５）を複数組備え、ブラケット（７５）は、外側本体（４０）に取り付けられ、それぞれのブラケット（７５）は、スタンド（１０）に取り付けられる物の下面または背面に外側本体（４０）の取り付けを可能にする留め具を挿入する穴（８０）を備え、外側本体（４０）は、バネの力によりスピンドルチャンバー（６２）から移動して出たり入ったりすることが可能なバネ型のスピンドル（６０）を有するストッパーと、外側本体（４０）および内側本体（４５）をともに固定することが可能なスピンドル（６０）の位置と同じ位置の外側部材（４０）に設けられたスルーホール（６４）とを備え、スピンドル（６０）は、内側本体（４５）に設けられた第一のストッパー穴（５０）または第二のストッパー穴（５５）を介して挿入可能であり、
内側本体（４５）は、さらにベース部（１５）の反対側である内側本体（４５）の先端に取り付けられたガイドキャップ（７０）を備え、ガイドキャップ（７０）は、外側本体（４０）および内側本体（４５）の固定が必要な場合、スピンドル（６０）とともに第一のストッパー穴（５０）または第二のストッパー穴（５５）の位置合わせを行なう第一の止め部および第二の止め部（７１、７２）を備えていることを特徴とするスタンド（１０）。
【請求項２】
第一の止め部および第二の止め部（７１、７２）は、内側本体（４５）が９０度回転することを可能とし、それによって、第一のストッパー穴（５０）にて外側本体（４０）および内側本体（４５）がともに固定されている場合、第二の止め部は取り付けられるスタンド（１０）を備える物の下面または背面に垂直であり、それによって、外側本体（４０）および内側本体（４５）が第二のストッパー穴（５５）にてともに固定されている場合、第一の止め部は、上記物の下面または背面に垂直であることを特徴とする請求項１に記載のスタンド（１０）。
【請求項３】
ストッパーは、ヘッド（６１）およびヘッド（６１）に接続しているスピンドル（６０）を備えており、スピンドル（６０）は、それに取り付けられるコイルばね（６３）を備え、スピンドル（６０）は、スピンドルチャンバー（６２）の内部に保持されており、スピンドル（６０）は、ヘッド（６１）からスピンドルチャンバー（６２）、スルーホール（６４）を経由して外側本体（４０）と、第一のストッパー穴（５０）または第二のストッパー穴（５５）を経由して内側本体（４５）とを通り、内側本体（４５）の中空の内部に達するまで伸長する全長を有しており、且つ、スピンドル（６０）は、外側本体（４０）のスルーホール（６４）と共に第一のストッパー穴（５０）、または第二のストッパー穴（５５）から引き出されたり、第一のストッパー穴（５０）、または第二のストッパー穴（５５）に挿入されたりすることが可能であり、スピンドルチャンバー（６２）は、２つの隔壁を備え、当該隔壁は、スピンドル（６０）の先端を保持するスペースを形成しており、スピンドル（６０）がチャンバーの隔壁に隣接しているとき、外側本体（４０）および内側本体（４５）の固定の解除を可能とすることを特徴とする請求項１又は２に記載のスタンド（１０）。
【請求項４】
上記脚部（３０、３０”）のうち、上記本体部（２０）からの距離がより遠い位置にある方の上記脚部（３０”）は、当該脚部（３０”）の末端に取り付けられた脚輪（３５）をさらに備えている、請求項１〜３のいずれか１項に記載のスタンド（１０）。
【請求項５】
折り畳み可能な脚を備えるテーブル、ボード、パネル、又はパーティションとともに使用する、請求項１〜４のいずれか１項に記載のスタンド（１０）。
【発明の詳細な説明】
【発明の詳細な説明】
【０００１】
〔本発明の背景技術〕
本発明は、スタンドに関し、特に折り畳み可能な脚を備えるテーブル用のスタンドに関する。
【０００２】
一般的に、テーブル、特に折り畳み可能な脚を備えるテーブル（例えば、セミナーテーブル、またはミーティングテーブルなど）は、使用の際に多数必要とされる。これは、収納の問題を招く。これらのテーブルの脚は、通常折り畳まれ、そして、テーブルは、互いに寄り掛けられるか、あるいは、積み重ねられる。結果として、積み重なっている間に、テーブルの表面の損傷、例えば、テーブルの脚による擦過痕などの問題がよく起こる。さらに、積み重ねたテーブルまたは互いに寄り掛けられたテーブルが崩れたり、あるいは、滑ったりすることはよく起こる。これは、作業者を負傷させることがある。
【０００３】
〔本発明の概要〕
本発明の目的は、折り畳み可能な脚を備えるテーブルの収納に用いるスタンドを提供し、当該テーブルを使用していない場合に収納を容易にすることである。これは、収納スペースを節約し、テーブルを重ねることによる擦れで生じる損傷を減らし、かつ、テーブルのすべりにより作業者にぶつかる、あるいは、作業者の上に倒れ掛かるといった、不適切な収納を原因とする危険を減らし得る。さらに、スタンドは、より少ない労力で容易にこれらのテーブルを移動させることを可能にする。
【０００４】
本発明に係るスタンドとしては、テーブルの背面に取り付けられる少なくとも一組のスタンドが挙げられる。当該スタンドは、使用中に伸長可能であり、テーブルを使用している場合にテーブル本体の背面または下側に伸縮自在である。スタンドは、移動または再配置に便利なため、脚輪を備えていてもよい。
【０００５】
〔図面の説明〕
図１は、外側本体の断面図を説明する、本発明の一実施形態に係るスタンドの分解図を示す。
【０００６】
図２は、外側本体および内側本体の断面図を説明する、本発明の一実施形態に係るスタンドを示す。
【０００７】
図３は、本発明の一実施形態に係るスタンドを収納した場合の当該スタンドの上正面図を示す。
【０００８】
図４は、脚が伸長した実施形態に係る図３のスタンドの斜視図を示す。
【０００９】
図５は、本発明の一実施形態に係るスタンドの使用についての背面図を示す。
【００１０】
図６は、本発明の一実施形態に係るスタンドを使用していない場合の当該スタンドの使用についての背面図を示す。
【００１１】
図７は、本発明の他の実施形態に係るスタンドを使用していない場合の当該スタンドの使用の背面図を示す。
【００１２】
図８は、本発明の一実施形態に係るスタンドの使用についての側面図を示す。
【００１３】
〔本発明の詳細な説明〕
図１に示すように、本発明に係る一組のスタンド１０は、折り畳み可能な脚を備えるテーブルに取り付けられる。スタンド１０それぞれは、テーブルの負荷に対する最適な配置のために隙間が設けられており、配置のバランスが確保されている。スタンド１０はそれぞれ、ベース部１５および、それに接続した本体部２０を備えている。
【００１４】
ベース部１５は、下方を向いてフレームのように長方形の半分の形状を備えている。つまり、それは、長手のシャフト２０と、シャフト２０のそれぞれの端部が同軸から下方向に曲げられており、フレームのように長方形の半分の形状を定めるようにシャフト２０のそれぞれの端部にて一体的に形成されている脚部３０、３０”とで形成されている。図１および他の図面に示すように、脚部３０、３０”の湾曲部は、脚部３０、３０”と不測に衝突または激突した場合における負傷を最小限にする、あるいは軽減するため、丸みを帯びていることが好ましい。さらに、脚部３０”の一末端は、脚部３５を備えていてもよく、これにより、テーブルの移動または再配置の利便性を向上させる。材料の節約および製造コストの節約のため、ベース部１５は、中空の耐久材料で作られていることが好ましいが、負荷またはテーブルの重量に耐える性能、および、強度を確保するため、適度な厚さを有している。
【００１５】
本体部２０は、ベース部１５と同じ材料で形成され、ベース部１５に垂直にはめ込まれていることが好ましい。それは、脚部３０、３０”の一つの近くに取り付けられている、つまり、相隔たる脚部３０、３０”の中心から離れている（中心からずれている）。図１に示すように、脚３０”が脚輪３５を備える実施形態において、本体部２０は、中心からずれており、脚輪３５が設けられていない脚３０の近くに取り付けられている。これは、シャフト２５にて、本体部２０および、脚輪３５が取り付けられている脚３０”の間に隙間を設けるように配置されており、テーブルの端部を調整して負荷がベース部１５の中心に向けられるようにして、重量のバランスを生じさせ、正面側または底面側の何れかに影響を及ぼす過度の負担（テーブルをいずれかの側によろめかせ得る、あるいは倒れかからせ得る）がかかることを避ける。
【００１６】
本体部２０は、外側本体４０および内側本体４５を内部に備える中空の円柱である。内側本体４５は、外側本体４０よりも長く、外側本体４０よりも直径が小さい。内側本体は外側本体の内部を滑って動くことが可能である。したがって、本体部２０は縦方向に収縮可能である。内側本体４５の一端は、取り外せないようにベース部１５に接続している。
【００１７】
内側本体４５は、２つの相隔たるストッパー穴を備えており、当該ストッパー穴は第一のストッパー穴５０および第二のストッパー穴５５であり、内側本体４５の長さ方向に沿って設けられている。相隔たるストッパー穴の距離は、テーブルの端部からどれくらいスタンド１０を伸長することができるか、あるいは、テーブル１００のより低い部分の内側部にどれくらいスタンド１０を縮めることができるかを、スタンド１０が伸長された場合に、テーブルの端部はベース部１５のシャフト２５と重なり、ベース部１５のシャフト２５がテーブル本体の重量に耐えられるようにして決定する。さらに、スタンドを使用しない場合、つまり、テーブルが使用のために取り出されている場合には、スタンド１０は、テーブル１００の内側部に縮められ、スタンド１０の一部もテーブルの端部から突き出ていない。
【００１８】
第一および第二のストッパー穴５０、５５の大きさは、外側本体４０に取り付けられているストッパー６５のスピンドル６０の大きさに対応しており、後述するように、外側本体４０にストッパー６５のスピンドル６０がはめ込まれており、外側本体４０は、ストッパー６５のスピンドル６０を収容する。
【００１９】
また上述のように、内側本体４５の長さ方向に沿ってある距離を隔てて備えられていること以外には、第一のストッパー穴５０および第二のストッパー穴５５は、内側本体４５の外周の異なる位置に設けられている。つまり、第一のストッパー穴５０および第二のストッパー穴５５は、内側本体４５の外周にて約９０度離れており、必要とされる位置または状態にて、つまり、図３に示すように使用されていない場合、または、図４に示すように使用されている場合にて、スタンド１０を回転させ、かつ固定する（ロックする）ことを可能にする。
【００２０】
さらに、内側本体４５の先端にて、シャフト２５の反対側に中空の管である内側本体４５を覆うガイドキャップ７０を備えており、さらに、ガイドキャップ７０は、内側本体４５が外側本体４０から意図せずに滑り落ちることを防止する。また、ガイドキャップ７０は、使用者が内側本体４５を回転させる位置を決定する。内側本体４５に接続しているベース部１５を回転させることにより、外側本体４０のストッパー６５のスピンドル６０がそれを塞ぐ位置にて、それぞれの位置の第一のストッパー穴５０または第二のストッパー穴５５が見えなくなる（外側本体４０の中に姿が隠れる）。そのとき、スタンド１０は、収納中に収縮のために位置が固定され、あるいは、スタンド１０を伸長可能とするために位置の固定が解除される。スタンド１０の詳細な動作については、以下にさらに記載する。
【００２１】
外側本体４０は、内側本体４５を覆っている中空円柱状の管であり、その長さは、内側本体４５の長さよりも短い。外側本体４０は、ブラケット７５を備えている。図１〜７に示される実施形態は、外側本体４０のそれぞれの末端に一組のブラケット７５を備えている。一組のブラケット７５はそれぞれ、外側本体４０の右側および左側にて接続しており、それぞれの側のブラケット７５は、穴８０を備えている。スタンド１０をテーブル本体に取り付けてすぐに、留め具部材、例えば、ネジを穴８０に挿入し、テーブル１００のより下の部分にスタンド１０を固定する。
【００２２】
外側本体４０は、それに取り付けられるバネ型のスピンドル６０を有するストッパー６５を備えている。ストッパーは、つかむためのヘッド６１および箱状のスピンドルチャンバー６２内に配置される棒状のスピンドル６０を有するバネ型ピンを備えている。スピンドル６０の大きさは、内側本体４５に設けられたストッパー穴５０、５５の大きさと対応し、スピンドル６０の長さは、ヘッド６１から、スピンドルチャンバー６２を横切り、外側本体４０および内側本体４５のスルーホール６４を経た、内側本体４５の内側の空洞までの距離に対応する。コイルばね６３は、スピンドル６０に取り付けられ、スピンドル６０がストッパー穴５０、５５から引き出される、あるいは、ストッパー穴５０、５５の中に押し戻されることを可能にするバネ作用をスピンドル６０に与える。これは、外側本体４０と内側本体４５との間に固定すること、およびその間にて固定を解除することを可能にし得る。伸長し、収縮するスタンド１０にとって、スタンド１０の伸縮および伸長を容易にするため、スピンドルチャンバー６２は２つの隔壁を備え、当該隔壁は、ストッパー６５のスピンドル６０を保持する十分なスペースを備えている。つまり、スタンド１０を伸縮する、あるいは伸長する必要がある場合、ストッパー６５のバネ型のスピンドル６０は、ストッパー穴５０、５５から引き出されて外側本体４０および内側本体４５の固定を互いに解除してスピンドルチャンバー６２の両端の何れかとスピンドル６０とが接するように、ストッパー６５を操作して、内側本体４５が滑って出たり入ったりすることを可能にし、収縮および伸長を円滑にする。固定が必要な場合、スピンドルは押し戻されて、再びストッパー穴５０、５５に挿入されるように操作される。
【００２３】
図３に示すように、使用するとき、ブラケット７５に設けられた穴８０を介して、留め具、例えば、ネジ、ボルトなどにより、スタンド１０をテーブル１００のより低い部分に固定することにより、スタンド１０はテーブル１００のより低い部分に取り付けられる。スタンド１０を使用しない場合、内側本体４５の第一のストッパー穴５０を介して、スタンド１０の内側本体４５を外側本体４０に固定する。テーブル１０を使用する場合、ベース部１５の脚部３０、３０”は、テーブル１００の端部から離れた内側に縮んでおり、スタンド１０のその部分またはそれぞれの部分がテーブルの端部を超えて伸長することを防止する。内側本体４５が外側本体４０の内部を１８０度の距離にて回転し得ることは図３から見られる。第一のストッパー穴５０または第二のストッパー穴５５をストッパー６５のスピンドル６０とともに位置合わせして、内側本体４５および外側本体４０をともに固定することは、時には困難であるが、その理由は、第一のストッパー穴５０または第二のストッパー穴５５が外側本体４０の内側に隠れてしまうためである。したがって、内側本体４５は、ストッパー６５のスピンドル６０の場所とともに第一のストッパー穴５０または第二のストッパー穴５５を位置合わせするために、ガイドキャップ７０を備えている。上述したように、第一のストッパー穴５０または第二のストッパー穴５５は、内側本体の外周にて約９０度離れている。ガイドキャップ７０は、第一の止め部（first brace）および第二の止め部を備えており、９０度しか回転しないように内側本体４５を制限する。つまり、スタンド１０を使用しない場合、スタンド１０を、スタンド１０の内側本体４５を第一のストッパー穴５０を介して固定することにより収納位置にて収縮しており、この位置において、第二の止め部は、テーブル１００の底面に垂直である。図４において、スタンド１０を使用のために引き出す場合、内側本体４５を滑らせて伸長し、９０度回転させて第二のストッパー穴５５をストッパー６５のスピンドル６０の位置まで回転させる。このようにして、ガイドキャップ７０を滑らせて外側本体４０の上端に隣接させ、一方、第一の止め部７１はテーブル１００の底面と厳密に垂直な位置まで回転する。したがって、これは、内側本体４５および外側本体４０をともに固定する。そして、ベース部１５は、テーブルの端に隣接しており、一方、脚輪３５を備えるシャフト２５の脚部３０”はそれに接しており、あるいは、脚輪３５がない実施形態において、本体部２０のより遠い側における脚３０は９０度回転されてもよく、したがって、脚輪３５を備える脚３０”または本体部２０のより遠い側における脚３０は、テーブルの正面（上面）を超えて伸長している。したがって、図５に示すように、スタンド１０を垂直に配置している場合、テーブルの重量の全ては、テーブルの端に直接隣接したベース部１５のシャフト２５に及ぼされる。
【００２４】
図６および図７は、テーブル１００の下面、特にテーブルに取り付けられている折り畳み可能な脚が障害物にならない側へのスタンド１０の取り付けを示している。図６は、脚輪３５を備えている脚部３０”の実施形態を示し、一方、図７は、脚輪３５がない実施形態を示している。脚輪３５を備えている実施形態は、脚輪３５がテーブルを容易に移動させることを可能にし、負荷を軽減するため、好ましい。図８に示すように、使用中に、テーブルの端部はベース部１５のシャフト２５に正確に隣接し得る。テーブルを移動させる必要がある場合、移動させる人は、脚輪３５がない側が床から離れるまでテーブルを単に傾斜させて、前方へ移動させて所望の位置まで押す。これは、より動作を容易にし、移動用の引き揚げ機器（lifting equipment）の必要とする人手を減らし得る。
【００２５】
代表的な実施形態が示すように、本発明に係るスタンド１０は、縁部に装飾がされていないもの、すなわち、縁部が平らなテーブルに取り付けられることが好ましい。これは、テーブルの縁部がスタンドの収縮または伸長するために滑ることを妨げ得るという事実に基づく。しかし、縁部を備えるテーブルに使用する場合、スタンド１０のブラケット７５を変形して、装飾がされている縁部の幅または高さよりも高い程度までスタンド１０の本体部２０を上昇させてもよい。これは、スタンド１０を収縮させ、伸長させるために、内側本体４５が外側本体４０の長さ方向に沿って、滑って出たり入ったりすることを可能にする。
【００２６】
上記詳細により、スタンドは、使用されていない場合に折り畳み可能な脚を備えるテーブルの収納を容易にし得る。それは、収納スペースを節約することに役立ち、テーブルの脚による擦過痕を減らし（積み重ねる必要なくテーブルを直立させることが可能であるため）、テーブルのすべりにより作業者にぶつかったり、作業者の上に倒れ掛かったりすることを引き起こし得る不適切な収納を原因とする危険を減らす。それは、より少ない労力、引き揚げ機器の人手でこれらテーブルを移動することができ、したがって、本発明の目的を果たすことができる。
【００２７】
本発明に係る詳細の公開は、本発明に係るスタンドの実施例についてであるが、ボード、パネル、パーティションなどの物に設けるスタンドも本発明の範囲に包含される。
【図面の簡単な説明】
【００２８】
【図１】外側本体の断面図を説明する、本発明の一実施形態に係るスタンドの分解図を示す。
【図２】外側本体および内側本体の断面図を説明する、本発明の一実施形態に係るスタンドを示す。
【図３】本発明の一実施形態に係るスタンドを収納した場合の当該スタンドの上部正面図を示す。
【図４】脚が伸長した図３の実施形態に係るスタンドの斜視図を示す。
【図５】本発明の一実施形態に係るスタンドの使用についての背面図を示す。
【図６】本発明の一実施形態に係るスタンドを使用していない場合の当該スタンドの使用の背面図を示す。
【図７】本発明の他の実施形態に係るスタンドを使用していない場合の当該スタンドの使用の背面図を示す。
【図８】本発明の一実施形態に係るスタンドの使用についての側面図を示す。
【図１】
0005951001.tif 000002
【図２】
0005951001.tif 000003
【図３】
0005951001.tif 000004
【図４】
0005951001.tif 000005
【図５】
0005951001.tif 000006
【図６】
0005951001.tif 000007
【図７】
0005951001.tif 000008
【図８】
0005951001.tif 000009